(57)【特許請求の範囲】
【請求項１】
ディスクの収納部を被う閉成位置と該収納部を開放する開放位置との間を回動変位可能に設けられた蓋体を備えたディスクプレーヤーにおいて、ディスクが載置されるターンテーブルと、該ターンテーブルが固着されるとともに先端部が該ターンテーブルの上方に突出せしめられている回転軸と、前記蓋体の内面に取り付けられている板バネとより成り、前記蓋体が閉成位置に回動変位したとき前記回転軸の先端部に前記板バネの先端部を押圧当接させることにより該回転軸の振動を抑えるようにしたことを特徴とするディスクプレーヤーの振動防止装置。
【請求項２】
回転軸の先端部を形成するコーナー部の形状を曲面状に形成するとともに該コーナー部に板バネの先端部を押圧当接させるようにしたことを特徴とする請求項１に記載の振動防止装置。
【発明の詳細な説明】
【０００１】
【産業上の利用分野】
本発明は、ディスクに記録されている信号を光学式ピックアップによって読み取るように構成されたディスクプレーヤーの振動防止装置に関するものである。
【０００２】
【従来の技術】
光学式ピックアップを用いてディスクに記録されている信号の読み取り動作を行うディスクプレーヤーが普及しているが、斯かるディスクプレーヤーにおいて信号の読み取り動作を正確に行うためには、ディスクの振動を抑える必要がある。ディスクの振動を抑える方法としては、ディスクをターンテーブルにクランプするクランプ手段として磁石の吸引力を利用する方法があるが、斯かる方法では、ターンテーブルにディスクを押圧するクランプ部材をディスクの上面側に設ける必要があるため、ディスクプレーヤーの薄型化には適していなかった。
【０００３】
斯かる点を改良した技術として特開平５−１５１６７５号公報に開示されているように鋼球を利用したものがある。斯かる技術によれば、クランプ部材をディスクの上方に設ける必要がないので、ディスクプレーヤーを薄型にすることが出来、ポータブル型のディスクプレーヤーに多く採用されている。
【０００４】
【発明が解決しようとする課題】
鋼球を利用してディスクをターンテーブル上に保持するように構成されたディスクプレーヤーは、ディスクの上面を押圧するクランプ部材を備えていないため、ディスクの回転に伴う振動を防止することが容易に行うことが出来ない。
【０００５】
従って、斯かるディスクプレーヤーでは、ディスクが載置されるターンテーブルの回転駆動動作を精度良く行うように構成されているが、該ターンテーブルを回転駆動する電動機の回転軸と軸受との間にある間隙で生じる微少振動がディスクの回転に与える悪影響が大きいという問題がある。
【０００６】
本発明は、斯かる問題を解決した振動防止装置を提供しようとするものである。
【０００７】
【課題を解決するための手段】
本発明の振動防止装置は、ディスクが載置されるターンテーブルと、該ターンテーブルが固着されるとともに先端部が該ターンテーブルの上方に突出せしめられている回転軸と、ディスクの収納部を被う蓋体の内面に取付けられているとともに該蓋体が閉成位置にあるとき前記回転軸の先端部に押圧当接する板バネとより構成されている。
【０００８】
【作用】
本発明は、ターンテーブルが固着されている電動機の回転軸の先端部に板バネを押圧当接させることによって回転軸の微少振動を防止するように構成されている。
【０００９】
【実施例】
図１は本発明の振動防止装置の要部を示す一部側断面図、図２は本発明に係るディスクプレーヤーの側断面図である。
【００１０】
１は本発明に係るディスクプレーヤーを構成するキャビネット、２は前記キャビネット１に形成されているディスクの収納部３を被うべく設けられている蓋体であり、軸４によって図２に示した閉成位置と反時計方向へ回転変位した開放位置との間を回動変位するように取付けられている。
【００１１】
５は固定基板６にネジ（図示せず）によって取付固定されている電動機であり、回転軸７が該固定基板６より上方へ突出せしめられている。８は前記回転軸７に圧入固着されているターンテーブルであり、ディスクＤが載置されるように構成されている。
【００１２】
９は前記ターンテーブル８の中心部に設けられているとともにディスクＤの中心部に形成されている中心孔に嵌入されるディスク保持部であり、図１に示したようにコイルスプリング１０によって外方へ押圧された鋼球１１が内部に設けられている。１２は前記蓋体２の内面に取付け固定されている板バネであり、その先端部１２Ａは該蓋体２が閉成位置に回動変位したとき、前記回転軸７の先端部７Ａに押圧当接するように構成されている。
【００１３】
斯かる構成において、ディスクＤのターンテーブル８への載置操作は、蓋体２を開放位置に回転変位せしめた状態において、デイスクＤを上方より挿入し、ディスクＤの中心孔をディスク保持部９に嵌入させることによって行われる。
【００１４】
ディスクＤの中心孔をディスク保持部９に嵌入させながら該ディスクＤを下方、即ち矢印Ａ方向へ押圧すると、鋼球１１がコイルスプリング１０の弾性付勢力に抗して内方へ変位せしめられる。そして、前記ディスクＤが鋼球１１の中心部よりも下方へ移動すると、該鋼球１１がコイルスプリング１０の弾性付勢力によって外方へ移動され、図１に示した状態になる。斯かる状態にあるとき鋼球１１のコイルスプリング１０より受ける外方への付勢力がディスクＤをターンテーブル８に押圧する力として作用するため、該ディスクＤは該ターンテーブル８上に押圧保持されることになる。
【００１５】
このようにしてディスクＤのターンテーブル８への載置操作は行われるが、斯かる状態において、蓋体２を閉成位置に回転させると図２に示した状態になる。前記蓋体２を閉成位置に回動させると図示したように板バネ１２の先端部１２Ａが回転軸７の先端部７Ａに当接するとともにその弾性力によって該先端部７Ａを押圧した状態になる。
【００１６】
斯かる状態において電動機５に駆動電流が供給されると、回転軸７が回転駆動せしめられるので、該回転軸７に固着されているターンテーブル８も回転駆動せしめられる。前記ターンテーブル８が回転すると該ターンテーブル８上にディスク保持部９によって載置保持されているディスクＤが回転駆動されるので、該ディスクＤに記録されている信号の光学式ピックアップによる読み取り動作が行われる。
【００１７】
前記電動機５に駆動電流が供給されると回転軸７の回転によるターンテーブル８の回転によりディスクＤの回転駆動動作が行われるが、回転軸７の回転動作は、板バネ１２の先端部１２Ａによる押圧力を先端部７Ａに受けながら行われる。その結果、前記回転軸７は電動機５に組込まれている軸受５Ａに押圧された状態で回転することになるため、回転軸７にガタツキがあっても安定した状態で回転することになる。
【００１８】
従って、斯かる駆動装置によれば回転軸７の微少な振動を抑えることが出来るため、ディスクＤの振動を防止することが出来、ディスクＤに記録されている信号の読み取り動作を正確に行うことが出来る。
【００１９】
また、回転軸７の先端部７Ａに板バネ１２の先端部１２Ａが当接するが、図１に示したように先端部７Ａのコーナー部７Ｂを曲面状に形成し、そのコーナー部７Ｂに板バネ１２の先端部１２Ａを当接させるように構成すると、板バネ１２による回転軸７の回転特性に対する影響を小さくすることが出来る。そして、前記コーナー部７Ｂに対して作用する押圧力は、その分力が回転軸７の軸方向及び軸方向に対して直角方向に作用するため、該回転軸７の軸方向へのガタツキの発生を抑えることが出来る。
【００２０】
【発明の効果】
本発明は、ディスクが載置されるターンテーブルが固着されている電動機の回転軸の先端部にディスクの収納部を被う蓋体の内面に取付けられている板バネを押圧当接させるようにしたので、回転軸と軸受との間にガタツキがあっても該回転軸の微少な振動の発生を抑えることが出来、本発明によればディスクに記録されている信号の読み取り動作を正確に行うことが出来る。
【００２１】
また、本発明は、板バネが当接する回転軸のコーナー部を曲面状にしたので該回転軸の回転特性に与える影響を小さくすることが出来る。
【図面の簡単な説明】
【図１】本発明の振動防止装置の要部を示す一部側断面図である。
【図２】本発明に係るディスクプレーヤーの側断面図である。
【符号の説明】
１          キャビネット
２          蓋体
３          収納部
５          電動機
７          回転軸
７Ａ        先端部
７Ｂ        コーナー部
８          ターンテーブル
９          ディスク保持部
１２        板バネ
Ｄ          ディスク
【図１】
0003547786.tif 000002
【図２】
0003547786.tif 000003